(57)【要約】【課題】視力の向上効果を有するパソコン周辺器具を提供すること。【解決手段】マウスパッドの上側表面上に、立体視模様を描いたマウスパッドを提供した。【効果】視力の向上効果を有するパソコン周辺器具が提供された。本発明のマウスパッドには、立体視模様が描かれているので、これを凝視して立体視を行い又は立体視の訓練を行うことにより、視力を向上させることができ、パソコン操作による視力の減退を防止し又は少なくとも遅らせることが可能になる。【選択図】  図１
2004334407.tif 000002
【特許請求の範囲】
【請求項１】
マウスパッドの上側表面上に、立体視模様を描いたマウスパッド。
【請求項２】
前記マウスパッドは、基材シート上に、単繊維繊度１デニール以下の極細繊維からなるマルチフィラメント糸で構成され、かつ該極細繊維が互いに絡まりあっている交絡織編物を設けてなることを特徴とするマウスパッドであり、前記立体視模様は、該交絡織編物上に描かれている請求項１記載のマウスパッド。
【発明の詳細な説明】
【０００１】
【発明の属する技術分野】
本発明は、視力を向上させることができるマウスパッドに関する。
【０００２】
【従来の技術】
パソコン操作を長期間に亘って行っていると、視力の減退がしばしば起きることは広く知られている。パソコンの周辺で用いられる器具に視力向上効果があれば、パソコン操作による視力の減退を防止し又は少なくすることができるので好都合である。しかしながら、視力の向上効果を有するパソコン周辺器具は知られていない。
【０００３】
一方、従来より、パソコン用マウスのボールを的確に回転させることができ、かつ、ボールに付着した汚れを除去することが可能なマウスパッドとして、極細繊維交絡織編物を基材上に貼着させてなるものや、表面に立毛層を有するもの等が知られている。しかしながら、視力の向上効果を有するマウスパッドは知られていない。
【０００４】
【特許文献１】特開２０００−３５８５４号公報
【特許文献２】特開２０００−２８４９０４号公報
【特許文献３】特開平９−１５２９３６号公報
【非特許文献１】栗田昌裕監修、「楽しく遊んでみるみる目が良くなるマジック・アイ」、２００１年４月２５日、ワニブックス発行
【０００５】
【発明が解決しようとする課題】
本発明の目的は、視力の向上効果を有するパソコン周辺器具を提供することである。
【０００６】
【課題を解決するための手段】
本願発明者らは、パソコン周辺器具として、マウスパッドに着目し、マウスパッドの上側表面上に、立体視模様を描くことにより、視力の向上を図ることができることに想到し、本発明を完成した。
【０００７】
すなわち、本発明は、マウスパッドの上側表面上に、立体視模様を描いたマウスパッドを提供する。
【０００８】
【発明の実施の形態】
「立体視模様」とは、「マジック・アイ」や「３Ｄアート」等とも呼ばれることがあるものであり、二次元的に描かれた繊細で複雑な模様であり、この模様を所定の方法で凝視することにより、三次元の像が浮かび上がってくるものである。三次元の像が浮かび上がってくる原理は、右目で見ている模様と、左目で見ている模様とが脳において行われる情報処理によって融合され、脳がその模様を立体的なものとして認識するというものである。
【０００９】
凝視の方法には、右目で左側の模様を見、左目で右側の模様を見るクロス法と、右目で右側の模様を見、左目で左側の模様を見るパラレル法とがある。本願発明に採用される立体視模様は、クロス法用でもパラレル法用でもよく、より容易に立体像を見ることができると言われるクロス法用の模様が好ましい。クロス法用の立体視模様の一例を図１に示す（栗田昌裕監修、「楽しく遊んでみるみる目が良くなるマジック・アイ」、２００１年４月２５日、ワニブックス発行、第７頁から引用）。
【００１０】
立体視模様自体は公知であり、例えば、上記非特許文献１には、多数の立体視模様が掲載されている。立体視は、誰でも見た瞬間に立体像が浮かび上がってくるものではなく、初心者は相応の訓練を積まなければならず、また、訓練の結果、立体像が見えるようになっても、見るためにはその都度、模様を凝視する必要がある。この凝視が視力の向上や目及び脳の活性化に効果があることがわかっている。
【００１１】
本願発明は、マウスパッドの上側表面上に、立体視模様を描いたものである。パソコン操作終了後、又は操作の合間に、マウスパッド上の立体視模様を凝視して立体視を行う又は立体視の訓練を行うことにより、視力が向上し、パソコン操作による視力の減退を防止し又は少なくとも遅らせることが可能になる。
【００１２】
立体視模様を描くこと以外、マウスパッド自体の構成は特に限定されず、公知のマウスパッドの上側表面上に、印刷により模様を描くことにより本発明のマウスパッドとすることができる。もっとも、立体視模様は、繊細、複雑な模様であるので、これを正確に表現するためには、表面が極細繊維交絡織編物で構成されているマウスパッドが好ましい。このようなマウスパッドは、上記特許文献１及び２に記載されており、特に上記特許文献１に記載されている、基材シート上に、単繊維繊度１デニール以下の極細繊維からなるマルチフィラメント糸で構成され、かつ該極細繊維が互いに絡まりあっている交絡織編物を設けてなることを特徴とするマウスパッドが好ましい。立体視模様は、該交絡織編物上に描かれる。以下、このマウスパッドについてさらに説明する。
【００１３】
このマウスパッドは、極細繊維からなる交絡織編物と基材シートで基本的に構成されている。
【００１４】
このマウスパッド構成する交絡織編物には、単繊維繊度１デニール以下の極細繊維からなるマルチフィラメント糸が使用される。
【００１５】
極細繊維からなるマルチフィラメント糸としては、例えば２種の異なる合成重合体からなる海島型複合繊維の海成分を溶解または分解除去することによって得ることができ、また、２種の異なる合成重合体からなる分割型複合繊維の各成分を剥離分割せしめることによっても得ることができる。これらの極細化処理は、通常、海島型複合繊維や分割型複合繊維を用いて製編織した後に行なわれる。
【００１６】
極細繊維からなるマルチフィラメント糸を製造るために用いられる重合体は、特に限定されるものではなく、通常の方法で製糸可能なものであればいずれの重合体であっても適用することができ、それらは共重合体であってもかまわない。例えば、ポリエステル、ポリアミド、ポリビニルアルコールおよびポリオレフィンなどを例示することができ、なかでもポリエステルが特に好ましく用いられる。
【００１７】
極細繊維は、単繊維繊度が１デニール以下、好ましくは０．５デニール以下、より好ましくは０．２デニール以下の繊維であり、可能であれば０．００００１デニールのような超極細繊維であってもよい。
【００１８】
単繊維繊度が小さいほど繊維の表面積は大きくなり、マルチフィラメント糸や織編物における小さな空隙も多くなる。その小さな空隙に微小な粒子が捕獲されて、優れたクリーニング特性が発現される。そして、単繊維繊度が小さいことによって、交絡織編物がマウスのボールに接触したとき、繊維が座屈しやすく、汚れ成分を捕獲しやすくなる。
【００１９】
極細繊維からなるマルチフィラメント糸は、マウスパッド表面における極細繊維からなるマルチフィラメント糸のカバーファクターを大ならしめるため、けん縮糸または／および異収縮混繊糸を用いることができる。
【００２０】
例えば、捲縮を有する極細繊維からなるマルチフィラメント糸は、優れた操作性と拭き取り効果を発現させる上で重要な繊維であり、この場合、通常、単糸は細いほどその効果が大きい。すなわち、繊維の表面積が大きく、空隙率が多く、毛細管現象による水分の吸収を満足させるには、単繊維繊度が小さいほど好ましく、より好ましくは０．０３〜０．１デニール  の範囲のものがよい。単繊維繊度が小さいと、クリーニング性能面では満足されるものであるが使用による摩擦で繊維の摩耗が起こり、単糸切れなどに起因する毛羽の発生で十分な耐久性が得られ難い。また、単繊維繊度が大きいと、微細な汚れを捕獲することが困難になり、かつ対象物の水分を完全に除去できなくなる傾向を示す。
【００２１】
また、交絡織編物を構成する極細繊維からなるマルチフィラメント糸のトータル繊度は１０〜４００デニールであり、好ましくは３０〜２００デニールの範囲である。１０デニールより細くなるとクリーニング性能が劣り、４００デニールより太いと嵩高になりすぎる傾向がある。
【００２２】
本発明の交絡織編物は、糸−糸間または／および糸内で極細繊維が絡まりあっているものであり、ここで絡まりあうとは、特別な処理を受けていないものに比べてマルチフィラメント糸を構成している極細繊維の分繊によってそれら繊維同士がほつれにくくされていることをいう。
【００２３】
本発明において、極細繊維の絡まりあいは、好適には多数の小孔からの液体の噴射によって達成できる。最も効果的な手段は、ウオータージェットパンチである。好ましくは、５〜２００ｋｇ／ｃｍ２の流体を多数の小孔から織編物の片面または両面に噴射させる。噴射背圧は小さすぎると繊維は絡まないが、大きすぎると繊維が切断してしまうので、繊維の強度や繊維の束の状態等によつて、上記のような噴射背圧の範囲で適宜決められる。
【００２４】
ウオータージェットパンチは、交絡織編物のいずれか片面から行なうことができ、好ましくは両面に処理を施す。本発明においては、熱水等を使用してウオータージェットパンチすることにより、同時に交絡織編物に収縮処理を施すことができる。または、必要に応じて交絡織編物にウオータージェットパンチを施した後に、別途、収縮処理、沸騰水処理、および／またはヒートセット処理することもできる。
【００２５】
本発明のマウスパッドにおいては、かかる極細繊維からなるマルチフィラメント糸からなる交絡織編物が基材シートに積層されるが、この場合、織組織は平織り、綾織りおよび朱子織り等いずれでもよい。また、編組織としては、緯編メリヤスおよび経編メリヤスなどが挙げられる。本発明では、表面の凹凸がタテ・ヨコ均一で必要機能・効果を維持しながら、表面をできる限りフラットにするため、平織りが好ましく用いられる。
【００２６】
マウスパッドでは、極細繊維が互いに絡まり合っていると共に極細繊維からなるマルチフィラメント糸が交絡織編物表面に露出している。すなわち、マウスパッドを構成する交絡織編物の表面が、極細繊維からなるマルチフィラメント糸で覆われており、表面の油膜などの汚れをマルチフィラメント糸条内部の無数の空隙に毛細管現象により吸い入れる作用を有するため、マウスのボール表面に汚れを残さないように拭き取ることができるとともに、マウスパッド表面側にも汚れを残さないようにすることができる。
【００２７】
また、支障のない範囲で、交絡織編物に導電性フィラメント糸を混在させることができる。この導電性フィラメント糸としては、例えば、カーボンブラックや炭素繊維等の導電性物質を含有させた繊維形成性の合成重合体からなるフィラメント、特に、芯鞘型複合繊維の芯成分に導電性物質を含有せしめた合成重合体からなるフィラメントが用いられる。合成重合体としては、ポリアミド、ポリエステル、ポリアクリロニトリル等の繊維形成性重合体が好ましく用いられる。
【００２８】
また、導電性マルチフィラメントの他の例としては、繊維形成性の合成重合体とその合成重合体に対して混和であるが相溶性を有しない合成重合体からなり、繊維軸方向に沿って合成重合体が多数本の筋状形態で分散配列している繊維構造のフィラメントなどを用いることができる。例えば具体的には、ポリアルキレンエーテルセグメントを含有するブロックポリエーテルアミドまたはグラフトポリエーテルアミド（変性ポリアミド）をポリアミド、ポリエステル等と混合紡糸して、変性ポリアミドをポリアミドまたはポリエステル中に繊維軸方向に細長い分散粒子として混在させたフィラメントなどを用いることができる。ここにおいて、前記筋状形態重合体の中にカーボンブラック等の導電性物質をが分散されているフィラメントが好ましい。合成重合体としては、ポリアミド、ポリエステル、ポリアクリロニトリル等の繊維形成性重合体が好ましく用いられる。
【００２９】
導電性マルチフィラメントにおいて、導電性とは、電気非抵抗で好ましくは１０〜１０５  Ω・ｃｍ、より好ましくは１０２  〜１０４  Ω・ｃｍレベルの値である。また、導電性マルチフィラメントを構成する単繊維の太さは、極細繊維と同じ１デニール以下とすることができるが、特別には限定されない。
【００３０】
また本発明の極細繊維マルチフィラメント糸からなる交絡織編物は、厚さが好ましくは０．１〜０．７ｍｍ、より好ましくは０．１〜０．５ｍｍである。厚さを極力小さくすることで、マウスパッドの段差による違和感を解消することができる。
【００３１】
本発明のマウスパッドは、上記の交絡織編物を基材シートに積層させた基本構造を有する。両者の積層面は、必要に応じ適宜接着剤等で貼り合わされる。基材シートは、マウスパッドの表面を構成する交絡織編物を支持し、マウスパッドにめくれや反り返り、あるいは折り曲げ等、その表面特性を阻害しないものであれば特に限定されない。例えば、ポリ塩化ビニル、エチレン／酢酸ビニル貴共重合体、エチレン／塩化ビニル共重合体、合成あるいは天然ゴム等からなるシート、あるいは発泡体シートが挙げられる。これらの基材シートは、押出成形やカレンダー成形等で容易に製造することができる。
【００３２】
基材シートの厚さも本発明で糸する段差解消のため、できるだけ薄くすることが望ましい。本発明のマウスパッドにおいては、交絡織編物の厚さを含め、トータルで好ましくは３ｍｍ以下、より好ましくは０．２ｍｍ〜１ｍｍの厚さで用いられる。厚すぎると手首を持ち上げる感覚になり、マウス操作上の違和感と疲れを惹起する。
【００３３】
【実施例】
海成分がポリスチレン、島成分がポリエチレンテレフタレートからなり、島／海比率が９０／１０で島数７０の単繊維繊度０．０８デニール６３０本からなる、トータルデニール５０デニールのマルチフィラメント糸を用いて、平織物を製織する。得られた平織物を沸騰水中で収縮処理後、乾燥させ、次いでトリクロロエチレンで洗浄して海成分のポリスチレンを除去する。得られた織物の表面に露出した極細繊維の単繊維繊度は、約０．０６デニールである。
【００３４】
次に、この極細繊維が表面に多く出た織物表面に、口金の吐出孔径を０．２５ｍｍ、孔間ピッチを２．５ｍｍとし、口金板背圧を１００（ｋｇ／ｃｍ２）とした条件のウオータージェットパンチを施す。平織物には収縮が生じ、極細繊維の絡合した厚さ０．２ｍｍの織物を得る。
【００３５】
次に、得られた織物を、厚さ０．６ｍｍの合成ゴムシートに接着剤を介して貼着し、厚さ０．８ｍｍのマウスパッドを得る。このマウスパッドを用いてコンピュータ操作をしたところ、机との段差がないため、長時間の操作にも違和感がなかった。また、マウスに汚れが付くことがなく、滑らかな操作性が得られた。
【００３６】
このマウスパッドの上側表面上に、例えば図１に示すような立体視模様を印刷することにより本発明のマウスパッドが得られる。
【００３７】
【発明の効果】
本発明により、視力の向上効果を有するパソコン周辺器具が提供された。本発明のマウスパッドには、立体視模様が描かれているので、これを凝視して立体視を行い又は立体視の訓練を行うことにより、視力を向上させることができ、パソコン操作による視力の減退を防止し又は少なくとも遅らせることが可能になる。
【図面の簡単な説明】
【図１】立体視模様の一例を示す図である。
【図１】
2004334407.tif 000003